(57)【要約】【課題】手術用顕微鏡の対物レンズを動かしても術者は常に一定の姿勢を保つことができ、且つ、患者反応の確認や器具の受け渡しがスムーズに行える精密歯科治療を可能とする。【解決手段】治療台３０に対し三次元移動自在に配置された治療用顕微鏡１０の２眼の対物レンズで観察する顕微鏡画像を一対の撮像素子により撮像した左右の顕微鏡画像の映像信号を３Ｄ変換・画像処理装置で所定の画像処理を施した後に３Ｄ映像信号に変換し、術者の両眼に対応する位置に一対の画像表示素子が配置されたディスプレイユニット１４に顕微鏡観察画像を立体視させる。ディスプレイユニット１４は、基端が天井、壁又は床を含む室内側に固定された支持機構３２の先端に３次元移動自在に支持されており、一定姿勢を保つ術者が観察位置に保持される。【選択図】図２
2019103777.tif 000002
【特許請求の範囲】
【請求項１】
観察画像を立体視させて歯科治療を行う歯科用３Ｄデジタル顕微鏡システムに於いて、
治療台に対し三次元移動自在に配置された治療用顕微鏡と、
前記顕微鏡の２眼の対物レンズで観察する視点画像を撮像して視点映像信号を出力する一対の撮像素子と、
術者の両眼に対応する位置に画像表示素子が配置され、前記一対の撮像素子から出力された前記左右の視点映像信号を前記画像表示素子に表示して前記顕微鏡の観察画像を立体視させるディスプレイユニットと、
基端側が天井、壁又は床を含む室内側に固定され、先端側に前記ディスプレイユニットを三次元移動自在に支持して一定姿勢を保つ前記術者の観察位置に保持させる支持機構と、
が設けられたことを特徴とする歯科用３Ｄデジタル顕微鏡システム。
【請求項２】
請求項１記載の歯科用３Ｄデジタル顕微鏡システムに於いて、
更に、前記一対の撮像素子から前記左右の視点撮像信号を入力してサイドバイサイド方式を含む所定の３Ｄ対応の映像信号に変換して前記ディスプレイユニットに出力する３Ｄ変換・画像処理装置が設けられたことを特徴とする歯科用３Ｄデジタル顕微鏡システム。
【請求項３】
請求項２記載の歯科用３Ｄデジタル顕微鏡システムに於いて、
更に、前記３Ｄ変換・画像処理装置から出力される前記左右の視点映像信号を入力して前記顕微鏡の観察画像を表示させるモニタ装置が設けられたことを特徴とする歯科用３Ｄデジタル顕微鏡システム。
【請求項４】
請求項１記載の歯科用３Ｄデジタル顕微鏡システムに於いて、
更に、前記３Ｄ変換・画像処理装置から出力される前記左右の視点映像信号を入力して前記顕微鏡の観察画像を録画して再生する録画再生装置が設けられたことを特徴とする歯科用３Ｄデジタル顕微鏡システム。
【請求項５】
請求項１記載の歯科用３Ｄデジタル顕微鏡システムに於いて、
前記支持機構、可動アームの先端に支持された前記ディスプレイユニットの姿勢を維持したまま３次元移動させる平行リンク機構を含むことを特徴とする歯科用３Ｄデジタル顕微鏡システム。
【請求項６】
請求項１記載の歯科用３Ｄデジタル顕微鏡システムに於いて、
更に、画像処理装置が設けられ、前記画像処理装置は、所定のデジタル画像を前記ディスプレイユニットに合成して出力すると共に、前記顕微鏡は光源にフィルター等を介在させ特定波長の光を術野に照射する場合に前記一対の撮像素子から出力された前記視点映像信号に対し、特定色調の強調や露出補正を含む所定の画像処理を施して前記ディスプレイユニットに出力することを特徴とする歯科用３Ｄデジタル顕微鏡システム。
【請求項７】
請求項１記載の歯科用３Ｄデジタル顕微鏡システムに於いて、
前記一対の撮像素子は、前記顕微鏡の接眼レンズに代えて配置されるか、又は、前記顕微鏡の接眼レンズに入射する光路を分岐した結像位置に配置されることを特徴とする歯科用３Ｄデジタル顕微鏡システム。
【請求項８】
請求項１記載の歯科用３Ｄデジタル顕微鏡システムに於いて、
前記支持機構は、
垂直軸心線が前記治療台の患者の口腔を通る位置に移動可能に支持された垂直保持アームと、
前記垂直保持アームに対し、後端側が水平旋回自在に軸支された水平旋回アームと、
前記水平旋回アームの先端側に垂直旋回自在に軸支され、先端側に前記ディスプレイユニットが取り付けられた垂直旋回アームと、
を備え、
前記垂直保持アームの垂直軸心線が前記治療台の患者の口腔を通る位置に移動された状態で、前記垂直軸心線を中心として前記ディスプレイユニットのファインダーまでの水平距離で決まる所定の旋回半径となる前記治療台の周囲の位置に、前記ディスプレイユニットを前記垂直旋回アーム及び前記水平旋回アームを介して位置決め移動自在に支持させることを特徴とする歯科用３Ｄデジタル顕微鏡システム。
【請求項９】
請求項８記載の歯科用３Ｄデジタル顕微鏡システムに於いて、前記垂直保持アームの垂直軸心線が通過するアーム下端部位に、前記垂直軸心線の方向に光ビームを照射して位置決めするための輝点を生成する発光部が設けられたことを特徴とする歯科用３Ｄデジタル顕微鏡システム。
【請求項１０】
請求項８記載の歯科用３Ｄデジタル顕微鏡システムに於いて、前記ディスプレイユニットは、前記垂直旋回アームの先端に上下に回動自在に支持されたことを特徴とする歯科用３Ｄデジタル顕微鏡システム。
【請求項１１】
請求項８記載の歯科用３Ｄデジタル顕微鏡システムに於いて、
前記支持機構は、前記基台側と前記垂直保持アームとの間に、
前記基台側に対し後端側が水平旋回自在に軸支された第２の水平旋回アームと、
前記第２の水平旋回アームの先端側に後端側が水平旋回自在に軸支され、先端側に設けられた前記垂直保持アームの姿勢を維持したまま３次元移動させる平行リンク機構と、
が設けられたことを特徴とする歯科用３Ｄデジタル顕微鏡システム。
【請求項１２】
請求項８記載の歯科用３Ｄデジタル顕微鏡システムに於いて、
前記支持機構は、前記基台と前記垂直保持アームとの間に、
前記水平旋回アームの先端側に後端側が水平旋回自在に軸支され、先端側に設けられた前記垂直保持アームの姿勢を維持したまま３次元移動させる平行リンク機構が設けられたことを特徴とする歯科用３Ｄデジタル顕微鏡システム。
【請求項１３】
請求項８記載の歯科用３Ｄデジタル顕微鏡システムに於いて、
前記支持機構は、前記基台側に前記垂直保持アームの後端側が水平旋回自在に軸支されたことを特徴とする歯科用３Ｄデジタル顕微鏡システム。
【請求項１４】
請求項８記載の歯科用３Ｄデジタル顕微鏡システムに於いて、前記水平旋回アームと前記垂直旋回アームの何れか一方又は両方はアーム長を変える伸縮構造を備えたことを特徴とする歯科用３Ｄデジタル顕微鏡システム。
【請求項１５】
請求項８記載の歯科用３Ｄデジタル顕微鏡システムに於いて、
前記垂直保持アームの垂直軸心線を中心として前記ディスプレイユニットのファインダーまでの水平距離で決まる所定の旋回半径を、１０センチメートル乃至３０センチメートルの範囲の所定距離に設定したことを特徴とする歯科用３Ｄデジタル顕微鏡システム。
【請求項１６】
治療台の患者の治療に関する所定の観察画像を表示させるディスプレイユニットを、三次元移動自在に支持して一定姿勢を保つ術者の観察位置に保持させる歯科用ディスプレイ支持機構に於いて、
垂直軸心線が前記治療台の患者の口腔を通る位置に移動可能に支持される垂直保持アームと、
前記垂直保持アームに対し、後端側が水平旋回自在に軸支された水平旋回アームと、
前記水平旋回アームの先端側に垂直旋回自在に軸支され、先端側に前記ディスプレイユニットが取り付けられた垂直旋回アームと、
を備え、
前記垂直保持アームの垂直軸心線が前記治療台の患者の口腔を通る位置に移動された状態で、前記垂直軸心線を中心として前記ディスプレイユニットのファインダーまでの水平距離で決まる所定の旋回半径となる前記治療台の周囲の位置に、前記ディスプレイユニットを前記垂直旋回アーム及び前記水平旋回アームを介して位置決め移動自在に支持させることを特徴とする歯科用ディスプレイ支持機構。
【請求項１７】
請求項１６記載の歯科用ディスプレイ支持機構に於いて、前記ディスプレイユニットは、前記垂直旋回アームの先端に上下に回動自在に支持されたことを特徴とする歯科用ディスプレイ支持機構。
【請求項１８】
請求項１６記載の歯科用ディスプレイ支持機構に於いて、
前記基台側と前記垂直保持アームとの間に、
前記基台側に対し後端側が水平旋回自在に軸支された第２の水平旋回アームと、
前記第２の水平旋回アームの先端側に後端側が水平旋回自在に軸支され、先端側に設けられた前記垂直保持アームの姿勢を維持したまま３次元移動させる平行リンク機構と、
が設けられたことを特徴とするディスプレイ支持機構。
【請求項１９】
請求項１６記載の歯科用ディスプレイ支持機構に於いて、
前記基台側と前記垂直保持アームとの間に、前記基台側に後端側が水平旋回自在に軸支され、先端側に設けられた前記垂直保持アームの姿勢を維持したまま３次元移動させる平行リンク機構が設けられたことを特徴とするディスプレイ支持機構。
【請求項２０】
請求項１６記載の歯科用ディスプレイ支持機構に於いて、
前記支持機構は、前記基台側に前記垂直保持アームの後端側が水平旋回自在に軸支されたことを特徴とするディスプレイ支持機構。
【発明の詳細な説明】
【技術分野】
【０００１】
本発明は、手術用顕微鏡を使用した歯科治療に用いる観察画像を立体視させる歯科用３Ｄデジタル顕微鏡システム及び歯科用ディスプレイ支持機構に関する。
【背景技術】
【０００２】
従来、医療分野における手術用顕微鏡（手術用マイクロスコープ）の普及に伴い、歯科にも手術用顕微鏡が導入され、手術用顕微鏡を用いた精密歯科治療が行われている。
【０００３】
これまでの手術用顕微鏡には、光学顕微鏡ゆえの構造上の問題がある。通常、手術用顕微鏡は対物レンズと接眼レンズからなり、これらは共に光学的につながって一体化している。したがって、仮に術野を変えるために対物レンズを動かすと、接眼レンズも一緒に動いてしまうことになる。したがって、接眼レンズを覗くためには術者も一緒に動くか、さらには対物レンズと接眼レンズの接合部を動かす必要性も生じる。
【０００４】
このように手術用顕微鏡を使用すると術者が一定姿勢を保つことができないといった理由で、手術用顕微鏡を使った歯科治療はとても煩雑とされ、その普及の妨げとなっている。そこで、手術用顕微鏡に取り付けられたビデオカメラの画像を２Ｄモニタあるいは３Ｄモニタに映し出し、それを見ながら歯科治療を行う方式も試みられてきたが、自然な立体感で観ることが難しいため歯科領域では全く普及していない。
【０００５】
一方、医科の内視鏡下手術ではステレオビューアが採用されている。ステレオビューアとは、内視鏡に付けられた２つのビデオカメラの画像をそれぞれ２つのモニタに映し出し、それを左右それぞれの目で見る方式である。これは、光学顕微鏡の接眼レンズと同様にとても自然な立体感で観ることができるため、繊細な治療が要求される内視鏡下手術において普及している。
【０００６】
しかしながら、これまでのステレオビューアはサイズがとても大きいか、またサイズが小さいものは画質が著しく劣っており、患者の顔の上の狭い範囲で治療する歯科治療には全く向かないと考えられている。
【先行技術文献】
【特許文献】
【０００７】
【特許文献１】特開２０１６−１１１５３３号公報
【特許文献２】特開２０１７−１７６３１８号公報
【発明の概要】
【発明が解決しようとする課題】
【０００８】
ところで、近年、３Ｄゲームなどの普及でヘッドマウントのステレオビューアへのニーズが高まっており、小型でも高画質の製品が開発されつつあり、ヘッドマウントのステレオビューアを手術用顕微鏡に応用することが考えられる。
【０００９】
そこで、左右２個のビデオカメラが取り付けられた手術用顕微鏡とヘッドマウントのステレオビューアを電気的に接続し、ヘッドマウントを装着して歯科治療を試みたところ、自然な立体感で観察することができたが、その一方でいくつかの問題が生じている。
【００１０】
まず、ヘッドマウントによって頭部に固定されたステレオビューアが邪魔となり、裸眼で患者を確認し難いことがわかった。これでは、非全身麻酔下で患者の反応を確認しながら治療を行う歯科の特性上、どうしても危険を伴うことになる。また、容易にステレオビューアから目線を外せないため器具の受け渡し等も難しく、ヘッドディスプレイを使用した歯科治療に手間と時間がかかり、作業負担も大きいという問題がある。
【００１１】
本発明は、手術用顕微鏡の対物レンズを動かしても術者は常に一定の姿勢を保つことができ、且つ、患者反応の確認や器具の受け渡しがスムーズに行える精密歯科治療を可能とする歯科用３Ｄデジタル顕微鏡システムを提供することを目的とする。
【００１２】
また、本発明は、歯科治療用の観察画像を表示させるディスプレイユニットを術者にとって最適となる位置に移動して保持可能とする歯科用ディスプレイ支持機構を提供することを目的とする。
【課題を解決するための手段】
【００１３】
（第１発明：歯科用３Ｄデジタル顕微鏡システム）
本発明は、観察画像を立体視させて歯科治療を行う歯科用３Ｄデジタル顕微鏡システムに於いて、
治療台に対し三次元移動自在に配置された顕微鏡と、
顕微鏡の２眼の対物レンズで観察する視点画像を撮像して視点映像信号を出力する一対の撮像素子と、
術者の両眼に対応する位置に画像表示素子が配置され、一対の撮像素子から出力された左右の視点映像信号を画像表示素子に表示して顕微鏡の観察画像を立体視させるディスプレイユニット（ステレオスコープともいう）と、
基端側が天井、壁又は床を含む室内側に固定され、先端側にディスプレイユニットを三次元移動自在に支持して一定姿勢を保つ術者の観察位置に保持させる支持機構と、
が設けられたことを特徴とする。
【００１４】
ここで、デジタル顕微鏡とは、光学顕微鏡が接眼レンズを通して観察するのに対し、デジタル顕微鏡は、目の代わりに画像表示素子を搭載し、液晶モニタ上で観察するものであり、本発明においては、顕微鏡、一対の撮像素子及びディスプレイユニットで構成される。
【００１５】
（３Ｄ変換・画像処理装置）
更に、一対の撮像素子から左右の視点撮像信号を入力してサイドバイサイド方式を含む所定の３Ｄ対応の映像信号に変換してディスプレイユニットに出力する３Ｄ変換・画像処理装置が設けられる。
【００１６】
（モニタ装置）
更に、３Ｄ変換・画像処理装置から出力される左右の視点映像信号を入力して顕微鏡の観察画像を表示させるモニタ装置が設けられる。
【００１７】
（録画再生装置）
更に、３Ｄ変換・画像処理装置から出力される左右の視点映像信号を入力して顕微鏡の観察画像を録画再生する録画再生装置が設けられる。
【００１８】
（支持機構１）
支持機構は、可動アームの先端に支持されたディスプレイユニットの姿勢を維持したまま３次元移動させる平行リンク機構を含む。
【００１９】
（画像処理装置）
更に、画像処理装置が設けられ、画像処理装置は、所定のデジタル画像をディスプレイユニットに合成して出力すると共に、顕微鏡は光源にフィルター等を介在させ特定波長の光を術野に照射する場合に一対の撮像素子から出力された視点映像信号に対し、特定色調の強調や露出補正を含む所定の画像処理を施してディスプレイユニットに出力する。
【００２０】
（撮像素子の配置）
一対の撮像素子は、顕微鏡の接眼レンズに代えて配置されるか、又は、顕微鏡の接眼レンズに入射する光路を分岐した結像位置に配置される。
【００２１】
（支持機構２）
支持機構は、
垂直軸心線が治療台の患者の口腔を通る位置に移動可能に支持された垂直保持アームと、
垂直保持アームに対し、後端側が水平旋回自在に軸支された水平旋回アームと、
水平旋回アームの先端側に垂直旋回自在に軸支され、先端側にディスプレイユニットが取り付けられた垂直旋回アームと、
を備え、
垂直保持アームの垂直軸心線が治療台の患者の口腔を通る位置に移動された状態で、垂直軸心線を中心としてディスプレイユニットのファインダーまでの水平距離で決まる所定の旋回半径となる治療台の周囲の位置に、ディスプレイユニットを垂直旋回アーム及び水平旋回アームを介して位置決め移動自在に支持させる。
【００２２】
（光ビームポインタ）
垂直保持アームの垂直軸心線が通過するアーム下端部位に、垂直軸心線の方向に光ビームを照射して位置決めするための輝点を生成する発光部が設けられる。
【００２３】
（ディスプレイユニットの上下回動支持）
ディスプレイユニットは、垂直旋回アームの先端に上下に回動自在に支持される。
【００２４】
（基台側の支持構造１）
支持機構は、基台側と垂直保持アームとの間に、
基台側に対し後端側が水平旋回自在に軸支された第２の水平旋回アームと、
第２の水平旋回アームの先端側に後端側が水平旋回自在に軸支され、先端側に設けられた垂直保持アームの姿勢を維持したまま３次元移動させる平行リンク機構と、
が設けられる。
【００２５】
（基台側の支持構造２）
支持機構は、基台と垂直保持アームとの間に、水平旋回アームの先端側に後端側が水平旋回自在に軸支され、先端側に設けられた垂直保持アームの姿勢を維持したまま３次元移動させる平行リンク機構が設けられる。
【００２６】
（基台側の支持構造３）
支持機構は、垂直軸心線が治療台の患者の口腔を通る位置となるように垂直保持アームの後端側が貴台側に水平旋回自在に軸支される。
【００２７】
（旋回アームの伸縮構造）
水平旋回アームと垂直旋回アームの何れか一方又は両方はアーム長を変える伸縮構造を備える。
【００２８】
（ディスプレイユニットの旋回半径）
垂直保持アームの垂直軸心線を中心としてディスプレイユニットのファインダーまでの水平距離で決まる所定の旋回半径を、１０センチメートル乃至３０センチメートルの範囲の所定距離に設定する。
【００２９】
（第２発明：歯科用ディスプレイ支持機構）
本発明の別の形態にあっては、治療台の患者の治療に関する所定の観察画像を表示させるディスプレイユニットを、三次元移動自在に支持して一定姿勢を保つ術者の観察位置に保持させる歯科用ディスプレイ支持機構に於いて、
垂直軸心線が治療台の患者の口腔を通る位置に移動可能に支持される垂直保持アームと、
垂直保持アームに対し、後端側が水平旋回自在に軸支された水平旋回アームと、
水平旋回アームの先端側に垂直旋回自在に軸支され、先端側にディスプレイユニットが取り付けられた垂直旋回アームと、
を備え、
垂直保持アームの垂直軸心線が治療台の患者の口腔を通る位置に移動された状態で、垂直軸心線を中心としてディスプレイユニットのファインダーまでの水平距離で決まる所定の旋回半径となる治療台の周囲の位置に、ディスプレイユニットを垂直旋回アーム及び水平旋回アームを介して位置決め移動自在に支持させることを特徴とする。
【００３０】
（ディスプレイユニットの上下回動支持）
歯科用ディスプレイ支持機構のディスプレイユニットは、垂直旋回アームの先端に上下に回動自在に支持される。
【００３１】
（基台側の支持構造１）
歯科用ディスプレイ支持機構は、基台側と垂直保持アームとの間に、
基台側に対し後端側が水平旋回自在に軸支された第２の水平旋回アームと、
第２の水平旋回アームの先端側に後端側が水平旋回自在に軸支され、先端側に設けられた垂直保持アームの姿勢を維持したまま３次元移動させる平行リンク機構と、
が設けられる。
【００３２】
（基台側の支持構造２）
歯科用ディスプレイ支持機構は、基台側と垂直保持アームとの間に、基台側に後端側が水平旋回自在に軸支され、先端側に設けられた垂直保持アームの姿勢を維持したまま３次元移動させる平行リンク機構が設けられる。
【００３３】
（基台側の支持構造３）
歯科用ディスプレイ支持機構は、基台側に垂直保持アームの後端側が水平旋回自在に軸支される。
【発明の効果】
【００３４】
（基本的な効果）
本発明は、観察画像を立体視させて歯科治療を行う歯科用３Ｄデジタル顕微鏡システムに於いて、治療台に対し三次元移動自在に配置された顕微鏡と、顕微鏡の２眼の対物レンズで観察する視点画像を撮像して視点映像信号を出力する一対の撮像素子と、術者の両眼に対応する位置に画像表示素子が配置され、一対の撮像素子から出力された左右の視点映像信号を画像表示素子に表示して顕微鏡の観察画像を立体視させるディスプレイユニットと、基端側が天井、壁又は床を含む室内側の顕微鏡に干渉しない位置に固定され、先端側にディスプレイユニットを三次元移動自在に支持して一定姿勢を保つ術者の観察位置に保持させる支持機構とが設けられたため、顕微鏡画像を立体視させるディスプレイユニットは支持機構により術者の最適な観察位置に保持されており、術野の変化や患者のわずかな動き対し対物レンズを移動させても術者は移動することなく、一定の姿勢を維持（固定）したままディスプレイユニットの顕微鏡画像を立体視により確認しながら歯科治療を進めることが可能となり、非全身麻酔下での患者の反応の確認や器具の受け渡し等も容易であり、精度の高い歯科治療を効率良く進めることができる。
【００３５】
（３Ｄ変換・画像処理装置の効果）
更に、一対の撮像素子から左右の視点撮像信号を入力してサイドバイサイド方式を含む所定の３Ｄ対応の映像信号に変換してディスプレイユニットに出力する３Ｄ変換・画像処理装置が設けられたため、例えば、サイドバイサイド方式により３Ｄ映像信号に変換することで、ディスプレイユニットの一対の表示素子による立体画像の表示をサイドバイサイド方式の規格に従って適切に行うことができる。
【００３６】
（モニタ装置の効果）
更に、３Ｄ変換・画像処理装置から出力される左右の視点映像信号を入力して顕微鏡の観察画像を表示させるモニタ装置が設けられたため、必要に応じて顕微鏡画像を例えばサイドバイサイド方式の規格に対応したモニタ装置に表示して術者や補助者等の複数の関係者により顕微鏡画像を観察可能とし、さらに患者に対して治療内容をより詳細に説明可能となる。
【００３７】
（録画機能の効果）
更に、３Ｄ変換・画像処理装置から出力される左右の視点映像信号を入力して顕微鏡の観察画像を録画再生する録画再生装置が設けられため、例えばサイドバイサイド方式の規格に対応した録画再生装置により、顕微鏡を使用した歯科治療の顕微鏡画像を録画し、必要に応じて再生することで、また歯科治療の確認や教育資材としての利用を可能とする。
【００３８】
（支持機構１の効果）
また、支持機構は、可動アームの先端に支持されたディスプレイユニットの姿勢を維持したまま３次元移動させる平行リンク機構を含むようにしたため、支持機構の先端に設けられたディスプレイユニットは、その姿勢を維持したまま三次元的に自由に移動させることができ、術者の姿勢に併せた最適な観察位置となる空間位置にディスプレイユニットを保持して顕微鏡画像の立体視観察を可能とする。
【００３９】
（画像処理装置の効果）
更に、画像処理装置が設けられ、画像処理装置は、所定のデジタル画像をディスプレイユニットに合成して出力すると共に、顕微鏡は光源にフィルター等を介在させ特定波長の光を術野に照射する場合に一対の撮像素子から出力された視点映像信号に対し、特定色調の強調や露出補正を含む所定の画像処理を施してディスプレイユニットに出力するようにしたため、裸眼では判別が難しいような病変や解剖学的形態が可視化された画像処理済みの視点映像信号をディスプレイユニットで顕微鏡観察画像を立体視しながら治療を行うことができる。
【００４０】
（撮像素子の配置による効果）
また、一対の撮像素子は、顕微鏡の接眼レンズに代えて配置されるか、又は、顕微鏡の接眼レンズに入射する光路を分岐した結像位置に配置されるため、接眼レンズレスの顕微鏡から、既存の顕微鏡に撮像素子を備えたアダプタを装着するといった様々なタイプの手術用の顕微鏡を利用したディスプレイユニットによる顕微鏡画像を立体視による精度の高い歯科治療を可能とする。
【００４１】
（支持機構２の効果）
また、支持機構は、垂直軸心線が治療台の患者の口腔を通る位置に移動可能に支持された垂直保持アームと、垂直保持アームに対し、後端側が水平旋回自在に軸支された水平旋回アームと、水平旋回アームの先端側に垂直旋回自在に軸支され、先端側にディスプレイユニットが取り付けられた垂直旋回アームと、を備え、垂直保持アームの垂直軸心線が治療台の患者の口腔を通る位置に移動された状態で、垂直軸心線を中心としてディスプレイユニットのファインダーまでの水平距離で決まる所定の旋回半径となる治療台の周囲の位置に、ディスプレイユニットを垂直旋回アーム及び水平旋回アームを介して位置決め移動自在に支持させるようにしたため、術者が治療台に寝ている患者をディスプレイユニットの画像（顕微鏡の立体視画像）を見ながら治療する場合、術者は患者の顔から少し離れた周囲の位置、例えば患者の頭の方向を１２時とすると、８時〜４時の間となる最適な位置から治療を行うことになるが、治療台に寝ている患者の直上付近に支持機構の垂直保持アームを位置させると、垂直保持アームの垂直軸心線が患者の口腔を通る位置となり、この状態で、水平旋回アーム及び垂直旋回アームを介してディスプレイユニットを、患者の口腔を中心に円を描くように回転移動させることで、８時〜４時の間の患者の顔に向かう術者の最適な治療位置にディスプレイユニットを簡単且つ確実に移動して位置づけることができる。
【００４２】
（光ビームポインタの効果）
また、垂直保持アームの垂直軸心線が通過するアーム下端部位に、垂直軸心線の方向に光ビームを照射して位置決めするための輝点を生成する発光部が設けられたため、垂直保持アームを治療台に寝ている患者の直上に移動させた場合に、発光部からの光ビームの輝点が患者の口腔に当たるように調整することで、簡単且つ正確に、垂直保持アームの垂直軸心線を患者の口腔を通る位置に設定することができる。
【００４３】
（ディスプレイユニットの上下回動支持）
また、ディスプレイユニットは、垂直旋回アームの先端に上下に回動自在に支持されたため、術者が患者を下向きに見る姿勢に併せてディスプレイユニットのファインダー側が上向きとなるようにディスプレイユニットが回動し、術者にとって見易い位置にディスプレイユニットを位置決めすることができる。
【００４４】
（基台側の支持構造１による効果）
また、支持機構は、基台側と垂直保持アームとの間に、基台側に対し後端側が水平旋回自在に軸支された第２の水平旋回アームと、第２の水平旋回アームの先端側に後端側が水平旋回自在に軸支され、先端側に設けられた垂直保持アームの姿勢を維持したまま３次元移動させる平行リンク機構とが設けられたため、垂直保持アームの後端が平行リンク機構及び第２の水平旋回アームを介して例えば天井面に固定された基台に水平旋回自在に支持され、広い範囲でディスプレイユニットを三次元移動できると共に、平行リンク機構により垂直保持アームの姿勢を維持したまま、垂直保持アームを治療台に寝ている患者の直上に移動させ、その垂直軸心線を患者の口腔を通る位置に容易に位置決めすることができる。
【００４５】
（基台側の支持構造２による効果）
また、支持機構は、基台と垂直保持アームとの間に、水平旋回アームの先端側に後端側が水平旋回自在に軸支され、先端側に設けられた垂直保持アームの姿勢を維持したまま３次元移動させる平行リンク機構が設けられたため、平行リンク機構により垂直保持アームの姿勢を維持したまま、垂直保持アームを治療台に寝ている患者の直上に移動させ、その垂直軸心線を患者の口腔を通る位置に容易に位置決めすることができ、また、前述した基台側の支持構造１に比べ、第２の水平旋回アームが除かれた分、支持機構をコンパクトにして小型軽量化することができる。
【００４６】
（基台側の支持構造３による効果）
また、支持機構は、垂直軸心線が治療台の患者の口腔を通る位置となるように垂直保持アームの後端側が基台側に水平旋回自在に軸支されたため、垂直軸心線が治療台に寝ている患者の口腔を通る位置となるように水著保持アームが固定されることで、垂直保持アームの位置決め操作が不要となり、また、前述した基台側の支持構造１に比べ第２の水平旋回アームと平行リンク機構が除かれ、また、前述した基台側の支持構造２に比べ平行リンク機構が除かれ、その分、支持機構をコンパクトにして小型軽量化することができる。
【００４７】
（旋回アームの伸縮構造）
また、水平旋回アームと垂直旋回アームの何れか一方又は両方はアーム長を変える伸縮構造を備えるようにしたため、水平旋回アームはアーム長を変えることで、垂直保持アームの垂直軸心線を治療台に寝ている患者の口腔を通る簡単に移動して正確に位置付けることができ、垂直旋回アームはアーム長を変えることで、ディスプレイユニット高さを術者の治療に対応した適正な高さに簡単に調整することができる。
【００４８】
（ディスプレイユニットの旋回半径による効果）
また、垂直軸心線を中心としてディスプレイユニットのファインダーまでの水平距離で決まる所定の旋回半径を、１０センチメートル乃至３０センチメートルの範囲の所定距離に設定するようにしたため、術者がディスプレイユニットの画像を見ながら治療する場合に患者に近付きすぎることが無く、患者の上側に十分な空き空間が確保され、ディスプレイユニットと干渉したり、術者の治療を妨げることなく、顕微鏡を使用して患者歯牙の観察画像をディスプレイユニットで立体視しながら治療を行うことができる。
【００４９】
（第２発明：歯科用ディスプレイ支持機構の効果）
また、本発明の他の形態は、治療台の患者の治療に関する所定の観察画像を表示させるディスプレイユニットを、三次元移動自在に支持して一定姿勢を保つ術者の観察位置に保持させる歯科用ディスプレイ支持機構に於いて、垂直軸心線が治療台の患者の口腔を通る位置に移動自在に支持される垂直保持アームと、垂直保持アームに対し、後端側が水平旋回自在に軸支された水平旋回アームと、水平旋回アームの先端側に垂直旋回自在に軸支され、先端側にディスプレイユニットが取り付けられた垂直旋回アームと、を備え、垂直保持アームの垂直軸心線が治療台の患者の口腔を通る位置に移動された状態で、垂直軸心線を中心としてディスプレイユニットのファインダーまでの水平距離で決まる所定の旋回半径となる治療台の周囲の位置に、ディスプレイユニットを垂直旋回アーム及び水平旋回アームを介して位置決め移動自在に支持させるようにしたため、手術用の顕微鏡による観察画像のみならず、撮像素子を使用して患者の歯牙を観察するための任意の機器又はシステムによる画像を表示させるディスプレイユニット全般につき、前述した場合と同様に、ディスプレイユニットが患者の口腔を中心に円を描くように旋回移動させることで、８時〜４時の間の患者の顔に向かう術者にとって最適な治療位置にディスプレイユニットを簡単且つ確実に位置づけることができる。
【００５０】
また、歯科用ディスプレイ支持機構におけるディスプレイユニットの上下回動支持、基台側の支持構造１〜３の効果は、前述した歯科用３Ｄデジタル顕微鏡システムにおける基台側の支持構造１〜３の場合と基本的に同じになる。
【図面の簡単な説明】
【００５１】
【図１】接眼レンズなしの手術用顕微鏡を用いた歯科用３Ｄデジタル顕微鏡システムの実施形態を示した説明図
【図２】歯科治療室に設置された手術用顕微鏡と支持アームに支持されたディスプレイユニットを示した説明図
【図３】支持機構の第１実施形態を示した説明図
【図４】図３の支持機構におけるリンク構成を示した説明図
【図５】支持アームの先端に保持されたディスプレイユニットを示した説明図
【図６】接眼レンズ付きの手術用顕微鏡を用いた歯科用３Ｄデジタル顕微鏡システムの他の実施形態を示した説明図
【図７】支持機構の第２実施形態を示した説明図
【図８】図７の支持機構におけるリンク構成を示した説明図
【図９】図７の支持機構により治療台周囲に保持されるディスプレイユニットの位置を平面で示した説明図
【図１０】図７の支持機構を備えた歯科用３Ｄデジタル顕微鏡システムによる歯科治療の様子を示した説明図
【図１１】図７の支持機構によりディスプレイユニットを収納位置に移動した状態を示した説明図
【図１２】患者の背持たれを起して術者が立位で歯科治療する場合の図７の支持機構によるディスプレイユニットの保持を示した説明図
【図１３】基台側の水平旋回アームを伸縮構造とした図７の支持機構を示した説明図
【図１４】平行リンクアームの後端側を基台に固定した支持機構の第３実施形態を示した説明図
【図１５】図１４の支持機構におけるリンク構成を示した説明図
【図１６】垂直保持アームを基台側に固定し、垂直旋回アームを伸縮構造とした支持機構の第４実施形態を示した説明図
【図１７】図１６の支持機構におけるリンク構成を示した説明図
【発明を実施するための形態】
【００５２】
［歯科用３Ｄデジタル顕微鏡システムの概要］
図１は接眼レンズなしの手術用顕微鏡を用いた歯科用３Ｄデジタル顕微鏡システムの実施形態を示した説明図、図２は歯科治療室に設置された手術用顕微鏡と支持アームに支持されたディスプレイユニットを示した説明図である。
【００５３】
図１に示すように、本実施形態の歯科用３Ｄデジタル顕微鏡システムは、手術用顕微鏡１０、３Ｄ変換・画像処理装置１２、ディスプレイユニット（ステレオスコープ）１４で構成され、必要に応じて、モニタ装置１６と録画再生装置１８が設けられる。
【００５４】
手術用顕微鏡１０は、図２に示すように、治療台３０に対し支持機構３４により三次元移動自在に支持され、取っ手２１を持つことで位置決め操作される。
【００５５】
また、本実施形態の手術用顕微鏡１０は、接眼レンズレスであり、図１に示すように、左右２眼の対物レンズ２０Ｌ，２０Ｒに続いて結像レンズ２２Ｌ，２２Ｒが配置され、接眼レンズは設けられておらず、結像レンズ２２Ｌ，２２Ｒの結像位置に撮像素子として機能するＣＣＤビデオカメラ２４Ｌ，２４Ｒが配置される。図２に示す手術用顕微鏡１０は、治療台３０に相対した下面に２眼の対物レンズ、照明灯及びフィルターが設けられている。
【００５６】
ＣＣＤビデオカメラ２４Ｌ，２４Ｒは例えば縦横１９２０×１０８０ピクセルの解像度であり、毎秒３０フレーム単位で、ＣＣＤビデオカメラ２４Ｌから左眼の視点映像信号を出力し、これに同期してＣＣＤビデオカメラ２４Ｒから右眼の視点映像信号を出力する。なお、撮像素子としては、ＣＣＤビデオカメラ以外にＣＭＯＳビデオカメラを用いても良い。
【００５７】
３Ｄ変換・画像処理装置１２は、３Ｄ変換機能として、ＣＣＤビデオカメラ２４Ｌ，２４Ｒから出力された視点映像信号を入力して所定規格の３Ｄ対応の映像信号、例えばサイドバイサイド方式対応の映像信号に変換してディスプレイユニット１４に出力する。３Ｄ変換・画像処理装置１２からの映像信号はＨＤＭＩ（登録商標）プロトコルに従って出力され、このため３Ｄ変換・画像処理装置１２とディスプレイユニット１４の間はＨＤＭＩ（登録商標）ケーブルにより接続される。
【００５８】
サイドバイサイド方式は、右眼用の映像信号と左眼用の映像信号を９６０×１０８０ピクセルのインターレース映像信号に変換して伝送する方式であり、サイドバイサイド方式に対応したモニタ装置や録画再生装置の使用が可能となる。なお、３Ｄ変換・画像処理装置１２としては、サイドバイサイド方式以外に、フレームパッキング方式やトップアンドボトム方式等の他の方式による３Ｄ映像信号への変換としても良い。
【００５９】
また、３Ｄ変換・画像処理装置１２は、画像処理機能として、種々のデジタル画像をディスプレイユニット１４に合成して出力すると共に、手術用顕微鏡１０の光源にフィルター等を介在させ特定波長の光を術野に照射し、得られた一対のＣＣＤビデオカメラ２４Ｌ，２４Ｒからの視点映像信号に対して、特定色調の強調や露出補正など所定の画像処理を施す。この画像処理により、裸眼では判別が難しいような病変や解剖学的形態が可視化された画像処理済みの視点映像信号をディスプレイユニット１４で顕微鏡観察画像を立体視しながら治療を行うことができる。
【００６０】
ディスプレイユニット１４は、本実施形態にあっては双眼鏡型であり、鏡筒２８Ｌ，２８Ｒ内の術者の左眼と右眼に対応する位置に一対の画像表示素子２６Ｌ，２６Ｒが配置されており、３Ｄ変換・画像処理装置１２で変換された左右の視点映像信号を一対の画像表示素子２６Ｌ，２６Ｒに表示し、手術用顕微鏡１０の観察画像を術者に立体視させる。
【００６１】
画像表示素子２６Ｌ，２６Ｒとしては、例えば、５．７インチで縦横１９８０×１０８０ピクセルの有機ＥＬパネルが左右に分割して使用されるか、もしくは左右に２つの小型の画像表示素子が使用される。また、有機ＥＬパネル以外に、同等の解像度を持つＬＥＤパネルや液晶パネルを用いても良い。
【００６２】
本実施形態のディスプレイユニット１４は、図２に示すように、支持機構３２の先端に支持されており、治療台３０に乗った患者を治療するために椅子に座って一定姿勢を保っている術者の観察位置に保持される。このため術者は、術野や患者の動きに対し手術顕微鏡１０を移動させても、術者は移動することなく一定の姿勢を維持（固定）したままディスプレイユニット１４の顕微鏡画像を立体視により確認しながら歯科治療を進めることが可能となる。
【００６３】
また、術者は非全身麻酔下での患者の反応の確認を確認するためにディスプレイユニット１４から眼を放すことになるが、ディスプレイユニット１４は支持フーム３２により保持されていることから術者の動きは拘束されず、ディスプレイユニット１４から眼を外して容易に患者が確認できる。また、補助者による術者に対する器具の受け渡し等もディスプレイユニット１４から眼を外すことで容易に行うことができる。その結果、ディスプレイユニット１４により顕微鏡画像を立体視により確認しながら精度の高い歯科治療を効率良く進めることができる。
【００６４】
モニタ装置１６は、必要に応じて治療室の壁面等に配置されており、３Ｄ変換・画像処理装置１２から出力された左右両眼の視点映像信号を入力し、サイドバイサイド方式に従って顕微鏡観察画像を３Ｄ画像又は２Ｄ画像として表示し、術者や補助者等の関係者による観察を可能とする。
【００６５】
録画再生装置１８は、必要に応じて配置されており、３Ｄ変換・画像処理装置１２から出力された左右両眼の視点映像信号を入力し、サイドバイサイド方式に従って顕微鏡観察画像を３Ｄ画像又は２Ｄ画像として録画し、また、必要に応じて再生することで、モニタ装置１６に録画した顕微鏡観察画像を３Ｄ画像又は２Ｄ画像として表示可能とする。
【００６６】
なお、本実施形態にあっては、手術用顕微鏡１０に設けられたＣＣＤビデオカメラ２４Ｌ，２４Ｒからの視点映像信号を３Ｄ変換・画像処理装置１２で例えばサイドバイサイド方式の視点映像信号に変換しているが、３Ｄ変換・画像処理装置１２を設けず、ＣＣＤビデオカメラ２４Ｌ，２４Ｒからの視点映像信号を直接ディスプレイユニット１４の画像表示素子２６Ｌ，２６Ｒに伝送して視点画像を表示させ、これにより顕微鏡観察画像を術者に立体視させるようにしても良い。しかし、３Ｄ変換・画像処理装置１２を設けていない場合には、モニタ装置１６や再生録画装置１８に対応できないことから、３Ｄ変換・画像処理装置１２を設けることが望ましい。
【００６７】
なお、本実施形態のデジタル顕微鏡システム又はデジタル顕微鏡は、光学顕微鏡が接眼レンズを通して観察するのに対し、デジタル顕微鏡は、目の代わりに画像表示素子を搭載し、液晶モニタ上で観察するものであり、このようなデジタル顕微鏡には、一対の光ファイバーの先端にレンズを備え、光ファイバーの後端側に設けられた撮像素子により撮像した画像を液晶モニタ上で観察する光ファイバースコープも含まれる。
【００６８】
［支持アーム］
図３は支持機構の第１実施形態を示した説明図、図４は図３の支持機構におけるリンク構成を示した説明図である。
【００６９】
図３に示すように、手術用顕微鏡と干渉しない位置に配置される本実施形態の支持機構３２は、基端側が天井面３６に固定され、先端側にディスプレイユニット１４を三次元移動自在に支持している。
【００７０】
支持機構３２は、天井面３６の所定位置に基台３８を下向きに固定し、基台３８に対し第２の水平旋回アームとして機能する水平旋回アーム４０が水平旋回継手４０ａにより水平旋回可能に設けられる。水平旋回アーム４０の先端には水平旋回継手４０ｂが設けられ、水平旋回継手４０ｂの下側は平行リンク機構を構成する平行リンクアーム４２の上端が連結される。
【００７１】
平行リンクアーム４２の下端には垂直保持アーム４４の上端が連結され、垂直保持アーム４４の下端には水平旋回アーム４６が連結され、水平旋回アーム４６の下端にディスプレイユニット１４が水平状態で固定されている。また、水平旋回アーム４６の下端に固定されたディスプレイユニット１４に対しては図１に示した３Ｄ変換・画像処理装置１２からのＨＤＭＩ（登録商標）ケーブル４８が接続され、ＨＤＭＩ（登録商標）プロトコルに従って視点映像信号が伝送される。
【００７２】
水平旋回アーム４６には横向きに取っ手４５が設けられ、また、ディスプレイユニット１４にも反対側となる横向きに取っ手４５が設けられ、術者は取っ手４５を持って操作することで、ディスプレイユニット１４の位置を調整することができる。
【００７３】
図４のリンク構成に示すように、天井面３６に固定された基台３８の下端と水平旋回アーム４０の右端は水平旋回継手４０ａにより水平旋回自在に連結されており、これにより基台３８に対し水平旋回アーム４０を水平旋回させることができる。
【００７４】
水平旋回アーム４０の左端は水平旋回継手４０ｂにより平行リンクアーム４２の上側に連結され、水平旋回アーム４０に対し平行リンクアーム４２を水平旋回させることができる。
【００７５】
平行リンクアーム４２は、上側の水平リンクが水平旋回継手４０ｂを介して水平旋回アーム４０に連結され、水平リンクアーム４２の下側の水平リンクが垂直保持アーム４４の上端に固定され、この状態で上下の平行リンクが高さ方向の２本の平行リンクにより連結されて４節平行リンクを構成している。
【００７６】
このため、平行リンクアーム４２の水平旋回継手４０ｂ側を固定側とし、垂直保持アーム４４側を可動側とすると、垂直保持アーム４４側の移動により想像線で示す平行リンクアーム４２ａの位置に移動した場合、平行リンクアーム４２が移動しても先端側に連結された垂直保持アーム４４及び水平旋アーム４６の姿勢は変化せず、この結果、水平旋回アーム４６の下端に支持しているディスプレイユニット１４は常に水平に維持されるため、術者は顔を傾ける必要はなく姿勢も変化しない。
【００７７】
このように支持機構３２はその途中に平行リンクアーム４２が設けられたことで、水平旋回アーム４６やディスプレイユニット１４に取り付けられた取っ手４５を持ってディスプレイユニット１４を片手で三次元的自在に移動・保持可能で、このときディスプレイユニット１４の鏡筒２８Ｌ，２８Ｒは常に水平に維持される。これにより術者の最適な観測位置にディスプレイユニット１４を移動・保持させることができる。
【００７８】
また、支持機構３２の回動自在な各連結部は、アーム自重によっては動かず、所定の外力が加わった場合に回動するように摺動トルクの設定が行われており、そのため術者によるディスプレイユニット１４の移動操作もしくは水平旋回アーム４６やディスプレイユニット１４に取り付けられた取っ手４５の操作に伴い支持機構３２が三次元的に動くことになる。
【００７９】
更に、本実施形態の支持機構３２は、ディスプレイユニット１４を使用しない場合は、平行リンクアーム４２の先端側を水平旋回アーム４０より高い位置に上げておくことができ、このため支持アーム４２を治療室に設置していても邪魔にはならない。
【００８０】
また、本実施形態にあっては、支持機構３２の基端を天井面３６に固定しているが、壁面や床面に固定してもよいし、更には、手術台３０側やキャスター付きの移動可能な台車に固定しても良い。
【００８１】
また、本実施形態の支持機構３２は一例であり、先端に支持したディスプレイユニット１４の平行姿勢を維持したまま三次元移動、保持が可能であれば、適宜のリンク構造を持つ支持アームが含まれる。
【００８２】
更に、支持アームに駆動機構を設け、遠隔操作や自動位置決め操作によりディスプレイユニット１４の位置を設定可能な支持アームを用いても良い。
【００８３】
［ディスプレイユニット］
図５は支持アームの先端に保持されたディスプレイユニットを示した説明図であり，図５（Ａ）に側面を示し、図５（Ｂ）に正面を示す。
【００８４】
図５に示すように、本実施形態のディスプレイユニット１４は、薄型の箱形状をもつユニット本体５０の正面に左右一対の鏡筒２８Ｌ，２８Ｒが設けられ、鏡筒２８Ｌ，２８Ｒには瞳孔間距離及び視度を調節可能な視度調整ツマミ２９Ｌ，２９Ｒが設けられ、更に、鏡筒２８Ｌ，２８Ｒの先端にはフード付きのカバーガラス５２Ｌ，５２Ｒが設けられ、ユニット本体５０の内部に配置した有機ＥＬパネル等を用いた画像表示素子により顕微鏡観察画像の立体視を可能としている。
【００８５】
ディスプレイユニット１４のユニット本体５０は、垂直保持アーム４４の下側に水平旋回自在に連結された水平旋回アーム４６の下端に固定されて水平姿勢を維持しており、ユニット本体５０に対し正面側に突出した鏡筒２８Ｌ，２８Ｒのカバーガラス５２Ｌ，５２Ｒに術者は眼を近づけることで、手術用顕微鏡に邪魔されることなく、空間的に配置されたディスプレイユニット１４による顕微鏡観察画像の立体視により治療を行うことができる。
【００８６】
また、支持機構３２は術者の上部空間から降りてきているため、術者がディスプレイユニット１４から眼を外して患者を確認したり器具の受け渡しを受ける場合にも妨げとならず、顕微鏡観察画像の立体視による精度の高い歯科治療を効率良く進めることができる。
【００８７】
なお、本実施形態のディスプレイユニット１４は一例であり、双眼鏡型に限定されず、術者の両眼に対応する位置に配置された一対の画像表示素子が左右の視点映像信号を表示して手術用顕微鏡の観察画像を立体視させるものであれば、適宜の構造のディスプレイユニットが含まれる。
【００８８】
［歯科用３Ｄデジタル顕微鏡システムの他の実施形態］
図６は接眼レンズ付きの手術用顕微鏡を用いた歯科用３Ｄデジタル顕微鏡システムの他の実施形態を示した説明図である。
【００８９】
図６に示すように、本実施形態の歯科用３Ｄデジタル顕微鏡システムは、手術用顕微鏡１０として接眼レンズ２５Ｌ，２５Ｒが設けられおり、２眼の対物レンズ２０Ｌ，２０Ｒから結像レンズ２２Ｌ，２２Ｒを介して接眼レンズ２５Ｌ，２５Ｒに至る光路に対し、結像レンズ２２Ｌ，２２Ｒの先に配置したハーフミラー２７Ｌ，２７Ｒにより光分配し、アダプタとして設けられた撮像素子として機能するＣＣＤビデオカメラ２４Ｌ，２４Ｒに入射して左右の視点画像を撮像するようにしている。
【００９０】
それ以外の構成及び作用は、図１乃至図５に示した実施形態と同じになることから、同一符号を付して説明は省略する。
【００９１】
本実施形態によれば、接眼レンズ付きの手術用顕微鏡１０についてもアダプタによりＣＣＤビデオカメラ２６Ｌ，２６Ｒを設けることで、ＣＣＤビデオカメラ２６Ｌ，２６Ｒからの視点映像信号を３Ｄ変換・画像処理装置１２により例えばサイドバイサイド方式の３Ｄ映像信号に変換し、ディスプレイユニット１４の画像表示素子２６Ｌ，２６Ｒに表示することで、術者は顕微鏡観察画像の立体視により精度の高い歯科治療を効率良く進めることができる。
【００９２】
［支持機構の第２実施形態］
図７は支持機構の第２実施形態を示した説明図、図８は図７の支持機構におけるリンク構成を示した説明図、図９は図７の支持機構により治療台周囲に保持されるディスプレイユニットの位置を平面で示した説明図、図１０は図７の支持機構を備えた歯科用３Ｄデジタル顕微鏡システムによる歯科治療の様子を示した説明図、図１１は図７の支持機構によりディスプレイユニットを収納位置に移動した状態を示した説明図である。
【００９３】
（支持機構の構成）
図７に示すように、本実施形態の支持機構３２は、基台３８、第２の水平旋回アームとして機能する水平旋回アーム４０、平行リンクアーム４２、垂直保持アーム４４で構成され、ここまでのリンク構成は図３の第１実施形態と同じになり、続いて、水平旋回継手６４、水平旋回アーム６０、垂直旋回継手６６及び垂直旋回アーム６２が設けられる。
【００９４】
即ち、本実施形態の支持機構３２は、例えば天井３６に固定された基台３８に対し水平旋回アーム４０の後端側が水平旋回継手４０ａにより水平旋回自在に軸支され、水平旋回アーム４０の先端側に平行リンクアーム４２の後端側が水平旋回継手４０ｂにより水平旋回自在に軸支され、平行リンクアーム４２は先端側の垂直保持アーム４４の姿勢を維持したまま３次元移動させる平行リンク機構を構成している。
【００９５】
平行リンクアーム４２の先端側に固定された垂直保持アーム４４に対しては、水平旋回継手６４により水平旋回アーム６０が水平旋回自在に軸支され、続いて、水平旋回アーム６０先端側に垂直旋回継手６６により垂直旋回アーム６２が垂直旋回自在に軸支され、垂直旋回アーム６２の先端側に、二股に分かれた支持アーム９０の先端を軸部９２によりディスプレイユニット１４の両側が軸支され、ディスプレイユニット１４が上下に角度調整ができるように取り付けられている。
【００９６】
なお、二股に分かれた支持アーム９０によらず、垂直旋回アーム６２の先端（下端）に、ディスプレイユニット１４の真上の中心を固定させても良い。また、垂直旋回アーム６２の先端を横方向に曲げてディスプレイユニット１４の左右何れか一方の側面に固定しても良いし、垂直旋回アーム６２の先端を上向きに屈曲してディスプレイユニット１４の底面に固定しても良い。
【００９７】
垂直保持アーム４４の垂直軸心線７２が通る水平旋回アーム６０の下端、即ち、垂直保持アーム４４の垂直軸心線７２が通過するアーム下端部位には、垂直軸心線７２の方向にＬＥＤ等の発光により、患者に悪影響を及ぼさない程度の微弱な光ビームを照射して位置決めするための輝点を生成する光ビーム発光部６５が設けられる。
【００９８】
光ビーム発光部６５を使用することで、垂直保持アーム６４を治療台６８に寝ている患者７０の直上に移動させた場合に、光ビーム発光部６５からの光ビームの輝点が患者７０の口腔７０ａに当たるように調整することで、簡単且つ正確に、垂直保持アーム４４の垂直軸心線７２を患者７０の口腔７０ａを通る位置に設定することができる。光ビーム発光部６５は、図示しないスイッチ操作によりオンオフすることができ、垂直保持アーム４４を位置決めする際にスイッチをオンして使用し、位置決めが済んだにスイッチをオフして消灯する。
【００９９】
なお、光ビーム発光部６５を使用することなく、術者が垂直保持アーム４４を治療台６８に寝ている患者７０の直上に移動させると、垂直保持アーム４４の垂直軸心線７２が患者７０の口腔７０ａを通る位置とすることができるので、光ビーム発光部６５は必ずしも設ける必要はない。
【０１００】
（支持機構の動作）
図７に示すように、治療台６８に寝ている患者７０を治療する場合には、支持機構３２における垂直保持アーム４４が患者７０の口腔７０ａの直上に位置するように平行リンクアーム４２を移動して位置決めする。この状態で、光ビーム発光部６５からの光ビームによる輝点が患者７０の口腔７０ａに当たるように調整することで、垂直保持アーム４４の垂直軸心線７２が治療台６８に寝ている患者７０の口腔７０ａを通る位置に設定することができる。
【０１０１】
この状態で、ディスプレイユニット１４は、垂直旋回アーム６２と水平旋回アーム６０を介して垂直保持アーム４４に対し水平回りに旋回自在支持されており、図８に示すよう、垂直軸心線７２からディスプレイユニット１４のファインダー１４ａまでの距離が所定の旋回半径ｒとなるように、水平旋回アーム６０の長さを決めることで、垂直軸心線７２を中心に半径ｒの円を描くようにディスプレイユニット１４を治療台６８の周囲に旋回移動させることができる。
【０１０２】
本実施形態において、術者が椅子に座り、治療台６８に寝ている患者７０をディスプレイユニット１４による手術用顕微鏡による立体視画像を見ながら治療する場合、術者は患者７０の顔から少し離れた周囲の位置、例えば図９に示すように、患者の頭の方向を１２時とすると、８時〜４時の間となる最適な位置を必要に応じて移動しながら治療を行うことなる。なお、４時は、通常、スタッフの位置となるが、術者の位置となる場合もある。
【０１０３】
このような治療台６８に寝ている患者７０に対する術者の動きに対し、図７に示したように、治療台６８に寝ている患者７０の直上付近に平行リンクアーム４２の先端側の垂直保持アーム４４を位置させると、垂直保持アーム４４の垂直軸心線７２が概ね患者７０の口腔７０ａを通る位置とすることができ、この状態で、垂直旋回アーム６２及び水平旋回アーム６０を介してディスプレイユニット１４を患者７０の周囲に円を描くように旋回移動させることで、図９に示した８時〜４時の間の患者の顔に向かう最適な治療位置にディスプレイユニット１４を簡単且つ確実に位置づけることができる。
【０１０４】
例えば、図１０に示すように、椅子に座った術者１１が図９の１２時方向となるバックポジションに移動して治療する場合には、患者７０の直上に支持機構３２における垂直保持アーム４４を位置させて垂直保持アーム４４の軸心線７２を患者７０の口腔７０ａに向けた状態とし、この状態でディスプレイユニット１４を１２時の位置に移動して保持させ、手術用顕微鏡１０に設けた撮像素子で撮像された患者７０の歯牙の画像をディスプレイユニット１４に表示し、術者はディスプレイユニット１４の表示による歯牙画像を立体視しながら歯科治療を進めることができる。
【０１０５】
ここで、術者１１は治療台６８に寝ている患者７０の顔から概ね１０〜３０センチメートル程度離れた周囲の位置から治療を行っている。このため本実施形態の支持機構３２は、中心となる垂直軸心線７２からディスプレイユニット１４のファインダー１４ａまでの距離となる半径ｒが概ね１０〜３０センチメートルの範囲の所定値、例えば半径ｒ＝２０センチメートル前後となるように水平旋回アーム６０の長さを設定している。
【０１０６】
このように水平旋回アーム６０の長さにより垂直軸心線７２を中心としてディスプレイユニット１４が移動する半径ｒの円が決まり、図７に示すように、水平旋回アーム６０の水平回転による上面とディスプレイユニット１４の水平回転による底面をもつ仮想的な円筒形の空き空間７４が患者７０の上方に形成される。
【０１０７】
この円筒状の空き空間７４は、ディスプレイユニット１４を８時〜４時で移動しても他の部材や機器による干渉を受けることがなく、術者が患者７０を治療するための空間となり、また、図１０示すように、手術用顕微鏡１０が配置されて患者７０の口腔７０ａを観察するために使用するための空間を確保することができる。
【０１０８】
また、術者はディスプレイユニット１４を使用した治療においては、ディスプレイユニット１４を使用した治療と、ディスプレイユニット１４を使用せずに裸眼で見ながら行う治療を頻繁に繰り返しており、ディスプレイユニット１４を使用しない場合には、ディスプレイユニット１４を右又は左に押すと、垂直保持アーム４４を中心に垂直旋回アーム６２及び水平旋回アーム６０と一体にディスプレイユニット１４が右又は左に素早く移動して裸眼による治療ができ、また、ディスプレイユニット１４を元の位置に素早く戻すことが簡単にできる。
【０１０９】
このとき手術用顕微鏡１０は、図１０に示すように、別の支持機構３４に保持されており、手術用顕微鏡１０はそのままでディスプレイユニット１４のみを術者１１の前の観察位置から左右に移動した裸眼による治療のための位置に簡単に動かすことができる。
【０１１０】
（支持機構の収納）
更に、本実施形態の顕微鏡システムを使用していない場合、歯科診療室は床下に配管を必要とする等の様々な理由から天井はあまり高くなく、患者やスタッフ等が立って出入りする場合にディスプイユニット１４の支持機構３２が邪魔になることが多い。これに対し本実施形態の支持機構３２は、図１１に示すように、使用時の垂直旋回アーム６２ａで示す位置から平行リンクアーム４２と概ね同じとなる上方に回転させた垂直旋回アーム６２の位置に折り畳んでディスプレイユニット１４を邪魔にならない位置に収納することができる。
【０１１１】
（患者の立位による歯科治療）
歯科治療時の患者のポジションには、図１０のように治療台３８に患者７０が寝た状態となる水平位と、治療台３８の背もたれを起して患者を座らせた状態とする立位がある。患者を水平位とした場合、術者は椅子に座っており、ディスプレイユニット１４により手術用顕微鏡１０で観察している歯牙を立体視しながら歯科治療を行うことができる。
【０１１２】
しかしながら、誤嚥しやすい高齢者や倒すと咳き込んだり気分が悪くなる患者に対しては、図１２に示すように、治療台６８の背もたれを起して患者７０を立位としたポジジョンで歯科治療を行う場合がある。この場合、従来の手術用顕微鏡を直接覗いて行う歯科治療では、接眼レンズが低い位置となるため、中腰の状態で手術用顕微鏡を見ながら治療することが強いられ、立位の患者に対しては手術用顕微鏡を用いた歯科治療を行うことができない。
【０１１３】
これに対し本実施形態の支持機構３２にあっては、図１２に示すように、立位の患者７０に対しても、水平位の場合と同様に、支持機構３２における垂直保持アーム４４を患者７０の直上に位置させ、垂直保持アーム４４の垂直軸心線７２を患者７０の口腔７０ａに向けることで、垂直軸心線７２を中心に、ディスプレイユニット１４を垂直旋回アーム６２及び水平旋回アーム６０を介して、患者７０の周囲で旋回させて治療に必要な任意の位置に保持可能であり、また、ディスプレイユニット１４の高さは、患者７０の周囲に立つ術者の目の高さに合わせた位置に保持させることが簡単にでき、ディスプレイユニット１４により手術用顕微鏡の観察画像を立体視しながら、立位としている患者の歯科治療を中腰等の無理な姿勢をとることなく、簡単且つ適切に進めることができる。
【０１１４】
（基台側水平旋回アームの伸縮構造）
図１３は基台側の水平旋回アームを伸縮構造とした図７の支持機構を示した説明図である。
【０１１５】
図１３に示すように、本実施形態の支持機構３２は、天井面３６に固定された基台３８に水平旋回自在に連結された水平旋回アーム４０を伸縮構造としている。水平旋回アーム４０の伸縮構造は、基台３８側の水平旋回継手４０ａに筒型の固定アーム７４が連結され、固定アーム７５に対し伸縮アーム７６が軸方向に摺動自在に嵌め込まれている。
【０１１６】
固定アーム７５の先端側には伸縮ギア機構７８が設けられ、外付けされたハンドル８２により内蔵したピニオンギア（図示せず）を回転可能としており、ピニオンギアは伸縮アーム７６の外周軸方向に形成されたラックギア８０に噛み合っている。
【０１１７】
ハンドル８２を例えば右に回すとピニオンギアの右回転によりラックギア８０が固定アーム７５内に引き込まれて水平旋回アーム４０を短くすることができ、ハンドル８２を逆に左に回すとピニオンギアの左回転によりラックギア８０が固定アーム７５から押し出され、水平旋回アーム４０を長くすることができる。それ以外の構造及び機能は図７の第２実施形態と同じになることから、同一符号を付して説明は省略する。
【０１１８】
このように水平旋回アーム４０の長さが変えられることで、歯科診療室によって基台３８を天井面３６に固定できる位置が異なっていても、平行リンクアーム４２の先端の垂直保持アーム４４を、診察台６８で水平位にある患者７０の口腔７０ａの上に確実に位置させることが容易にでき、垂直保持アーム４４の垂直軸心線７２を患者７０の口腔７０ａに向けてさせることで、垂直軸心線７２を中心に、水平旋回アーム６０及び垂直旋回アーム６２を介してディスプレイユニット１４を患者７０の周囲となる８時から４時の任意の位置に簡単に旋回移動して保持させることができる。
【０１１９】
また、垂直軸心線７２が患者７０の口腔７０ａに向くように水平旋回アーム４０の長さを変えて垂直保持アーム４４を患者７０の直上に位置させることで、ディスプレイユニット１４を使用した顕微鏡下での治療から裸眼による治療に移行するとき、垂直保持アーム４４を中心にディスプレイユニット１４を左又は右に水平回転により素早く移動でき、また、ディスプレイユニット１４を元の位置に素早く戻して顕微鏡下の治療に戻ることができる。
【０１２０】
なお、水平旋回アーム４０の伸縮構造は、ハンドル８２による手動操作としているが、モータ等のアクチュエータを設け、遠隔操作により長さを変えられるようにしても良い。
【０１２１】
［支持機構の第３実施形態］
図１４は平行リンクアームの後端側を基台に固定した支持機構の第３実施形態を示した説明図、図１５は図１４の支持機構におけるリンク構成を示した説明図である。
【０１２２】
図１４及び図１５に示すように、本実施形態の支持機構３２は、図７に示した第２実施形態の支持機構３２における平行リンクアーム４２から先の機構を使用したことを特徴とする。
【０１２３】
即ち、本実施形態の支持機構３２は、天井面３６に固定された基台３８に対し下向きに固定された固定アーム８４の下端に、水平旋回継手８６を介して平行リンクアーム４２の後端を連結しており、平行リンクアーム４２から先は、図７の第２実施形態と同じであり、垂直保持アーム４４、水平旋回アーム６０及び垂直旋回アーム６２を介して、垂直旋回アーム６２の先端に固定された二股に分かれた支持アーム９０に軸部９２によりディスプレイユニット１４が取り付けられている。
【０１２４】
本実施形態の支持機構３２は、基台３８側に図７に示した水平旋回アーム４０がないことから、その分、支持機構３２は全体としてコンパクトとなり、水平旋回アーム４０の旋回範囲を確保することが困難な歯科治療室に好適な構造とである。
【０１２５】
また、支持機構３２はコンパクトになるが、平行リンクアーム４２により垂直保持アーム４４を水平位にある患者７０の直上に位置させ、垂直保持アーム４４の垂直軸心線７２を患者７０の口腔７０ａに向くように保持させることで、垂直軸心線７２を中心に、水平旋回アーム６０及び垂直旋回アーム６２を介してディスプレイユニット１４を患者の周囲となる８時から４時の任意の位置に簡単に旋回移動して保持させることができる。
【０１２６】
更に、患者７０の上部に、ディスプレイユニット１４を８時〜４時で移動しても他の部材や機器による干渉を受けることなく術者が患者７０を治療することができ、且つ、図１０示すように、手術用顕微鏡１０が配置されて患者７０の口腔７０ａを観察するために使用するための空き空間７４を確保することができる。
【０１２７】
［支持機構の第４実施形態］
図１６は垂直保持アームを基台側に固定し、垂直旋回アームを伸縮構造とした支持機構の第４実施形態を示した説明図、図１７は図１６の支持機構におけるリンク構成を示した説明図である。
【０１２８】
図１６及び図１７に示すように、本実施形態の支持機構３２は、図７に示した第２実施形態の支持機構３２における垂直保持アーム４４から先の機構を使用したことを特徴とする。
【０１２９】
即ち、本実施形態の支持機構３２は、天井面３６に固定された基台３８に下向きに垂直保持アーム４４が固定され、垂直保持アーム４４から先は、図７の第２実施形態と基本的に同じであり、水平旋回アーム６０及び垂直旋回アーム６２を介して、垂直旋回アーム６２の先端に固定された二股に分かれた支持アーム９０に軸部９２によりディスプレイユニット１４が取り付けられている。
【０１３０】
また、本実施形態の垂直旋回アーム６２は伸縮構造としている。垂直旋回アーム６２の伸縮構造は、水平旋回アーム６０の先端に垂直旋回継手６６を介して筒型の固定アーム９６が連結され、固定アーム９６に対し伸縮アーム９８が軸方向（上下方向）に摺動自在に嵌め込まれている。
【０１３１】
固定アーム９６の先端側には伸縮ギア機構１００が設けられ、外付けされたハンドル１０４により内蔵したピニオンギア（図示せず）を回転可能としており、ピニオンギアは伸縮アーム９８の外周軸方向に形成されたラックギア１０２に噛み合っている。
【０１３２】
ハンドル１０４を例えば右に回すとピニオンギアの右回転によりラックギア１０２が固定アーム９６内に引上げられて垂直旋回アーム６２を短くすることができ、ハンドル１０４を逆に左に回すとピニオンギアの左回転によりラックギア１０２が固定アーム９６から押し下げられ、垂直旋回アーム６２を長くすることができる。
【０１３３】
このように垂直旋回アーム６２の長さが変えられることで、歯科診療室によって基台３８を天井面３６に固定できる位置が異なっていても、平行リンクアーム４２の先端の垂直保持アーム４４を、診察台６８で水平位にある患者７０の口腔７０ａの上に確実に位置させることが容易にでき、垂直保持アーム４４の垂直軸心線７２が患者７０の口腔７０ａに向くように保持されることで、垂直軸心線７２を中心に、水平旋回アーム６０及び垂直旋回アーム６２を介してディスプレイユニット１４を患者の周囲となる８時から４時の任意の位置に簡単に旋回移動して保持させることができる。
【０１３４】
本実施形態の支持機構３２は、基台３８側に図７に示した水平旋回アーム４０及び平行リンクアーム４２がないことから、支持機構３２は全体としてかなりコンパクトとなり、水平旋回アーム６０の旋回範囲を確保すれば良いことから、支持機構３２の設置スペースを大幅に低減できる。
【０１３５】
また、本実施形態の支持機構３２を歯科治療室に設置する場合には、垂直保持アーム４４からの垂直軸心線７２が水平位にある患者７０の口腔７０ａに向くように、基台３８を天井面３６に固定する。
【０１３６】
このため垂直保持アーム４４及び水平旋回アーム６０は天井３６に近い比較的高い位置にあることから、垂直旋回アーム６２に伸縮構造を持たせ、ディスプレイユニット１４を、水平位の患者を術者が椅子に座って治療を行う低い位置と、立位の患者を術者が立ったまま治療を行う高い位置に、ハンドル１０４の操作で垂直旋回アーム６２の長さを変えて位置決め保持させることができる。
【０１３７】
また、垂直保持アーム４４を水平位又は立位にある患者７０の直上に位置させ、垂直保持アーム４４の垂直軸心線７２を患者７０の口腔７０ａに向くように保持されることで、垂直軸心線７２を中心に、水平旋回アーム６０及び垂直旋回アーム６２を介してディスプレイユニット１４を患者の周囲となる８時から４時の任意の位置に簡単に移動して保持させることができる。
【０１３８】
更に、患者７０の上部に、ディスプレイユニット１４を８時〜４時で移動しても他の部材や機器による干渉を受けることなく術者が患者７０を治療することができ、且つ、図１０に示すように、手術用顕微鏡１０が配置されて患者７０の口腔７０ａを観察するために使用するための空き空間７４を確保することができる。
【０１３９】
なお、垂直旋回アーム６２の伸縮構造は、ハンドル１０４による手動操作としているが、モータ等のアクチュエータを設け、遠隔操作により長さを変えられるようにしても良い。
【０１４０】
また、図１６及び図１７の支持機構の変形例として、水平旋回アーム６０に、垂直旋回アーム６２と同様に伸縮構造を設けて長さ替えられるようにしても良い。また、図１６及び図１７の支持機構の他の変形例として、水平旋回アーム６０及び垂直旋回アーム６２に伸縮構造を設けず、固定長のアームとしても良い。
【０１４１】
［歯科用ディスプレイの支持機構］
図７乃至図１７に示した支持機構３２は、手術用顕微鏡による観察画像を立体視するディスプレイユニット１４を三次元移動自在に支持する場合を例にとっているが、手術用顕微鏡による観察画像を見るディスプレイユニットのみならず、撮像素子を使用して患者の歯牙を観察するための任意の機器又はシステムによる画像を表示させるディスプレイユニット全般につき、図７乃至図１７に示した支持機構３２を使用し、ディスプレイユニットを患者の口腔を中心に円を描くように旋回移動させることで、８時〜４時の間の患者の顔に向かう術者にとって最適な治療位置にディスプレイユニットを簡単且つ確実に位置づけることができる。
【０１４２】
このような図７乃至図１７に示した支持機構３２が使用される機器又はシステムとしては、光ファイバースコープの先端に設けた撮像素子による観測画像をディスプレイユニットに表示させる機器やシステム等がある。
【０１４３】
［本発明の変形例］
上記の実施形態は、３Ｄ変換機能と画像処理機能を一体に備えた３Ｄ変換・画像処理装置１２を設けているが、３Ｄ変換機能と画像処理機能を分離した３Ｄ変換器と画像処理装置を別々に設けても良い。
【０１４４】
また、上記の実施形態は、図２に示したように、手術用顕微鏡１０を専用の支持機構３４で三次元移動自在に支持しているが、歯科治療台に三次元移動自在に設けられている付属ライトと共に手術用顕微鏡を支持しても良いし、手術用顕微鏡はライトを備えていることから、付属ライトを廃止し、その代わりに手術用顕微鏡を設けても良い。
【０１４５】
また本発明は上記の実施形態に限定されず、その目的と利点を損なうことのない適宜の変形を含み、更に上記の実施形態に示した数値による限定は受けない。
【符号の説明】
【０１４６】
１０：手術用顕微鏡
１２：３Ｄ変換・画像処理装置
１４：ディスプレイユニット
１６：モニタ装置
１８：録画再生装置
２０Ｌ，２０Ｒ：対物レンズ
２１，４５：取っ手
２２Ｌ，２２Ｒ：結像レンズ
２４Ｌ，２４Ｒ：ＣＣＤビデオカメラ
２５Ｌ，２５Ｒ：接眼レンズ
２６Ｌ，２６Ｒ：画像表示素子
２７Ｌ，２７Ｒ：ハーフミラー
２８Ｌ，２８Ｒ：鏡筒
２９Ｒ：視度調整ツマミ
３０，６８：治療台
３２，３４：支持機構
３６：天井面
３８：基台
４０，４６，６０：水平旋回アーム
４０ａ，４０ｂ，６４，８６：水平旋回継手
４２：平行リンクアーム
４４：垂直保持アーム
４８：ＨＤＭＩ（登録商標）ケーブル
５０：ユニット本体
５２Ｒ，５２Ｌ：カバーガラス
６２：垂直旋回アーム
６５：光ビーム発光部
６６：垂直旋回継手
７０：患者
７０ａ：口腔
７２：垂直軸心線
７４：空き空間
７５，８４，９６：固定アーム
７６，９８：伸縮アーム
７８，１００：伸縮ギア機構
８０，１０２：ラックギア
８２，１０４：ハンドル
９０：支持アーム
９２：回転軸部
【図１】
2019103777.tif 000003
【図２】
2019103777.tif 000004
【図３】
2019103777.tif 000005
【図４】
2019103777.tif 000006
【図５】
2019103777.tif 000007
【図６】
2019103777.tif 000008
【図７】
2019103777.tif 000009
【図８】
2019103777.tif 000010
【図９】
2019103777.tif 000011
【図１０】
2019103777.tif 000012
【図１１】
2019103777.tif 000013
【図１２】
2019103777.tif 000014
【図１３】
2019103777.tif 000015
【図１４】
2019103777.tif 000016
【図１５】
2019103777.tif 000017
【図１６】
2019103777.tif 000018
【図１７】
2019103777.tif 000019
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
観察画像を立体視させて歯科治療を行う歯科用３Ｄデジタル顕微鏡システムに於いて、
治療台に対し三次元移動自在に配置された治療用顕微鏡と、
前記顕微鏡の２眼の対物レンズで観察する視点画像を撮像して視点映像信号を出力する一対の撮像素子と、
術者の両眼に対応する位置に画像表示素子が配置され、前記一対の撮像素子から出力された前記左右の視点映像信号を前記画像表示素子に表示して前記顕微鏡の観察画像を立体視させるディスプレイユニットと、
基端側が天井、壁又は床を含む室内側に固定され、先端側に前記ディスプレイユニットを三次元移動自在に支持して一定姿勢を保つ前記術者の観察位置に保持させる支持機構と、
が設けられ、
前記支持機構は、
垂直軸心線が前記治療台の患者の口腔を通る位置に移動可能に支持された垂直保持アームと、
前記垂直保持アームに対し、後端側が水平旋回自在に軸支された水平旋回アームと、
前記水平旋回アームの先端側に垂直旋回自在に軸支され、先端側に前記ディスプレイユニットが取り付けられた垂直旋回アームと、
を備え、
前記垂直保持アームの垂直軸心線が前記治療台の患者の口腔を通る位置に移動された状態で、前記垂直軸心線を中心として前記ディスプレイユニットのファインダーまでの水平距離で決まる所定の旋回半径となる前記治療台の周囲の位置に、前記ディスプレイユニットを前記垂直旋回アーム及び前記水平旋回アームを介して位置決め移動自在に支持させることを特徴とする歯科用３Ｄデジタル顕微鏡システム。
【請求項２】
請求項１記載の歯科用３Ｄデジタル顕微鏡システムに於いて、
更に、前記一対の撮像素子から前記左右の視点撮像信号を入力してサイドバイサイド方式を含む所定の３Ｄ対応の映像信号に変換して前記ディスプレイユニットに出力する３Ｄ変換・画像処理装置が設けられたことを特徴とする歯科用３Ｄデジタル顕微鏡システム。
【請求項３】
請求項２記載の歯科用３Ｄデジタル顕微鏡システムに於いて、
更に、前記３Ｄ変換・画像処理装置から出力される前記左右の視点映像信号を入力して前記顕微鏡の観察画像を表示させるモニタ装置が設けられたことを特徴とする歯科用３Ｄデジタル顕微鏡システム。
【請求項４】
請求項１記載の歯科用３Ｄデジタル顕微鏡システムに於いて、
更に、前記３Ｄ変換・画像処理装置から出力される前記左右の視点映像信号を入力して前記顕微鏡の観察画像を録画して再生する録画再生装置が設けられたことを特徴とする歯科用３Ｄデジタル顕微鏡システム。
【請求項５】
請求項１記載の歯科用３Ｄデジタル顕微鏡システムに於いて、
更に、画像処理装置が設けられ、前記画像処理装置は、所定のデジタル画像を前記ディスプレイユニットに合成して出力すると共に、前記顕微鏡は光源にフィルター等を介在させ特定波長の光を術野に照射する場合に前記一対の撮像素子から出力された前記視点映像信号に対し、特定色調の強調や露出補正を含む所定の画像処理を施して前記ディスプレイユニットに出力することを特徴とする歯科用３Ｄデジタル顕微鏡システム。
【請求項６】
請求項１記載の歯科用３Ｄデジタル顕微鏡システムに於いて、
前記一対の撮像素子は、前記顕微鏡の接眼レンズに代えて配置されるか、又は、前記顕微鏡の接眼レンズに入射する光路を分岐した結像位置に配置されることを特徴とする歯科用３Ｄデジタル顕微鏡システム。
【請求項７】
請求項１記載の歯科用３Ｄデジタル顕微鏡システムに於いて、前記垂直保持アームの垂直軸心線が通過するアーム下端部位に、前記垂直軸心線の方向に光ビームを照射して位置決めするための輝点を生成する発光部が設けられたことを特徴とする歯科用３Ｄデジタル顕微鏡システム。
【請求項８】
請求項１記載の歯科用３Ｄデジタル顕微鏡システムに於いて、前記ディスプレイユニットは、前記垂直旋回アームの先端に上下に回動自在に支持されたことを特徴とする歯科用３Ｄデジタル顕微鏡システム。
【請求項９】
請求項１記載の歯科用３Ｄデジタル顕微鏡システムに於いて、
前記支持機構は、前記基台側と前記垂直保持アームとの間に、
前記基台側に対し後端側が水平旋回自在に軸支された第２の水平旋回アームと、
前記第２の水平旋回アームの先端側に後端側が水平旋回自在に軸支され、先端側に設けられた前記垂直保持アームの姿勢を維持したまま３次元移動させる平行リンク機構と、
が設けられたことを特徴とする歯科用３Ｄデジタル顕微鏡システム。
【請求項１０】
請求項１記載の歯科用３Ｄデジタル顕微鏡システムに於いて、
前記支持機構は、前記基台と前記垂直保持アームとの間に、
前記水平旋回アームの先端側に後端側が水平旋回自在に軸支され、先端側に設けられた前記垂直保持アームの姿勢を維持したまま３次元移動させる平行リンク機構が設けられたことを特徴とする歯科用３Ｄデジタル顕微鏡システム。
【請求項１１】
請求項１記載の歯科用３Ｄデジタル顕微鏡システムに於いて、
前記支持機構は、前記基台側に前記垂直保持アームの後端側が水平旋回自在に軸支されたことを特徴とする歯科用３Ｄデジタル顕微鏡システム。
【請求項１２】
請求項１記載の歯科用３Ｄデジタル顕微鏡システムに於いて、前記水平旋回アームと前記垂直旋回アームの何れか一方又は両方はアーム長を変える伸縮構造を備えたことを特徴とする歯科用３Ｄデジタル顕微鏡システム。
【請求項１３】
請求項１記載の歯科用３Ｄデジタル顕微鏡システムに於いて、
前記垂直保持アームの垂直軸心線を中心として前記ディスプレイユニットのファインダーまでの水平距離で決まる所定の旋回半径を、１０センチメートル乃至３０センチメートルの範囲の所定距離に設定したことを特徴とする歯科用３Ｄデジタル顕微鏡システム。
【請求項１４】
治療台の患者の治療に関する所定の観察画像を表示させるディスプレイユニットを、三次元移動自在に支持して一定姿勢を保つ術者の観察位置に保持させる歯科用ディスプレイ支持機構に於いて、
垂直軸心線が前記治療台の患者の口腔を通る位置に移動可能に支持される垂直保持アームと、
前記垂直保持アームに対し、後端側が水平旋回自在に軸支された水平旋回アームと、
前記水平旋回アームの先端側に垂直旋回自在に軸支され、先端側に前記ディスプレイユニットが取り付けられた垂直旋回アームと、
を備え、
前記垂直保持アームの垂直軸心線が前記治療台の患者の口腔を通る位置に移動された状態で、前記垂直軸心線を中心として前記ディスプレイユニットのファインダーまでの水平距離で決まる所定の旋回半径となる前記治療台の周囲の位置に、前記ディスプレイユニットを前記垂直旋回アーム及び前記水平旋回アームを介して位置決め移動自在に支持させることを特徴とする歯科用ディスプレイ支持機構。
【請求項１５】
請求項１４記載の歯科用ディスプレイ支持機構に於いて、前記ディスプレイユニットは、前記垂直旋回アームの先端に上下に回動自在に支持されたことを特徴とする歯科用ディスプレイ支持機構。
【請求項１６】
請求項１４記載の歯科用ディスプレイ支持機構に於いて、
前記基台側と前記垂直保持アームとの間に、
前記基台側に対し後端側が水平旋回自在に軸支された第２の水平旋回アームと、
前記第２の水平旋回アームの先端側に後端側が水平旋回自在に軸支され、先端側に設けられた前記垂直保持アームの姿勢を維持したまま３次元移動させる平行リンク機構と、
が設けられたことを特徴とする歯科用ディスプレイ支持機構。
【請求項１７】
請求項１４記載の歯科用ディスプレイ支持機構に於いて、
前記基台側と前記垂直保持アームとの間に、前記基台側に後端側が水平旋回自在に軸支され、先端側に設けられた前記垂直保持アームの姿勢を維持したまま３次元移動させる平行リンク機構が設けられたことを特徴とする歯科用ディスプレイ支持機構。
【請求項１８】
請求項１４記載の歯科用ディスプレイ支持機構に於いて、
前記支持機構は、前記基台側に前記垂直保持アームの後端側が水平旋回自在に軸支されたことを特徴とする歯科用ディスプレイ支持機構。
【手続補正２】
【補正対象書類名】明細書
【補正対象項目名】００２６
【補正方法】変更
【補正の内容】
【００２６】
（基台側の支持構造３）
支持機構は、基台側に垂直保持アームの後端側が水平旋回自在に軸支される。